(57)【要約】【課題】  特別遊技に至るまでのプロセスを改良し、これまでにない遊技の興趣性をパチンコ遊技機に付与すること。【解決手段】  第一可変入賞口が、第一振分装置及び第二振分装置を少なくともその内部に有しており、第一振分装置が、特定領域に遊技球を誘導するための第一特定領域誘導口と、第二振分装置に遊技球を誘導するための第二振分装置誘導口を有しており、かつ、第二振分装置が、特定領域に遊技球を誘導するための第二特定領域誘導口と、通常領域に遊技球を誘導するための通常領域誘導口を有することを特徴とするパチンコ遊技機。【選択図】  図２
2007097640.tif 000002
【特許請求の範囲】
【請求項１】
遊技球が流入可能な始動入賞口と、
開状態と閉状態に変化可能な、通常領域と特定領域を有する第一可変入賞口と、
前記始動入賞口に遊技球が流入したことに基づいて、前記第一可変入賞口を開閉するよう制御する第１段階特別遊技制御手段と、
前記開閉動作に基づき、前記第一可変入賞口の前記特定領域に遊技球が流入した場合に、前記第一可変入賞口又は前記第一可変入賞口と相違する第二可変入賞口を遊技者にとって有利な状態に可変させる第２段階特別遊技制御手段と
を有するパチンコ遊技機において、
前記第一可変入賞口が、第一振分装置及び第二振分装置を少なくともその内部に有しており、前記第一振分装置が、前記特定領域に遊技球を誘導するための第一特定領域誘導口と、前記第二振分装置に遊技球を誘導するための第二振分装置誘導口を有しており、かつ、前記第二振分装置が、前記特定領域に遊技球を誘導するための第二特定領域誘導口と、前記通常領域に遊技球を誘導するための通常領域誘導口を有することを特徴とするパチンコ遊技機。
【発明の詳細な説明】
【技術分野】
【０００１】
本発明は、特定領域が設けられた可変入賞口を開状態に可変させることにより遊技者に有利な状態を構築可能なパチンコ遊技機であって、前記可変入賞口の構造に特徴があるパチンコ遊技機に関する。
【背景技術】
【０００２】
現在、ホール遊技場においては、多種多様なパチンコ遊技機が存在する。その中で、従来第二種といわれている機種は、特別遊技移行までのプロセスに高い興趣性があることに加え、比較的少ない投資で特別遊技移行が期待できるため、高齢者を中心として人気を博している。ここで、当該機種は、遊技盤上の始動入賞口に打球が入賞したことにより、可変入賞口が所定回数（例えば１回又は２回）開閉する第１段階特別遊技を実行すると共に、当該第１段階特別遊技の際に特定領域といわれる通常領域とは異なる可変領域内の領域に遊技球が流入した場合には、更に第２段階特別遊技が実行されるように構成されている。
【０００３】
ここで、第２段階特別遊技の移行に係る前記可変入賞口の内部には、遊技球を特定領域と通常領域に振り分ける振分装置が設置されており、前記可変入賞口に遊技球が流入した場合、前記特定領域か前記通常領域のいずれかに誘導されるように構成されている。この際、この種の遊技機の醍醐味は、前記のように第２特別遊技に至るまでのプロセスであるところ、これまでの機種に関しては、可変入賞口に入賞した遊技球は、基本的には特定領域又は通常領域のいずれかの領域に一プロセスで振り分けられるため、非常に淡白であると共に遊技の興趣性に欠くといいう問題が存する。そのため、従来の第一種の設置台数と比較し、当該第二種パチンコ遊技機は、相対的に人気が低いのが実情である。
【特許文献１】特開２００１−３５３２８１
【発明の開示】
【発明が解決しようとする課題】
【０００４】
そこで、本発明は、第２段階特別遊技に至るまでのプロセスを改良し、これまでにない遊技の興趣性をパチンコ遊技機に付与することにより、第二種パチンコ遊技機の興隆を図ることを目的とする。
【課題を解決するための手段】
【０００５】
本発明（１）は、遊技球が流入可能な始動入賞口（第２種始動口２１００）と、
開状態と閉状態に変化可能な、通常領域（通常領域入賞検出装置２２３０）と特定領域（特定領域入賞検出装置２２２０）を有する第一可変入賞口（第２種大入賞口２２００）と、
前記始動入賞口（第２種始動口２１００）に遊技球が流入したことに基づいて、前記第一可変入賞口（第２種大入賞口２２００）を開閉するよう制御する第１段階特別遊技制御手段（第１段階特別遊技制御手段１１２１）と、
前記開閉動作に基づき、前記第一可変入賞口（第２種大入賞口２２００）の前記特定領域（特定領域入賞検出装置２２２０）に遊技球が流入した場合に、前記第一可変入賞口（第２種大入賞口２２００）又は前記第一可変入賞口（第２種大入賞口２２００）と相違する第二可変入賞口を遊技者にとって有利な状態に可変させる第２段階特別遊技制御手段（第２段階特別遊技制御手段１１２２）と
を有するパチンコ遊技機において、
前記第一可変入賞口（第２種大入賞口２２００）が、第一振分装置（第一クルーン２２００ｘ）及び第二振分装置（第二クルーン２２００ｙ）をその内部に有しており、前記第一振分装置（第一クルーン２２００ｘ）が、前記特定領域（特定領域入賞検出装置２２２０）に遊技球を誘導するための第一特定領域誘導口（第一特定領域誘導口２２００ｃ）と、前記第二振分装置（第二クルーン２２００ｙ）に遊技球を誘導するための第二振分装置誘導口（第二クルーン誘導口２２００ｍ）を有しており、かつ、前記第二振分装置（第二クルーン２２００ｙ）が、前記特定領域（特定領域入賞検出装置２２２０）に遊技球を誘導するための第二特定領域誘導口（第二特定領域誘導口２２００ｐ）と、前記通常領域（通常領域入賞検出装置２２３０）に遊技球を誘導するための通常領域誘導口（通常領域誘導口２２００ｑ）を有することを特徴とするパチンコ遊技機である。
【０００６】
まず、本特許請求の範囲及び本明細書中で用いられる用語の意義について説明する。まず、「入賞」とは、賞球の払出の有無に関わらず、遊技者に対して何らかの利益状態を生じ得るもの一切を包含する概念であり、いわゆる「スルーチャッカー」も含む。「開状態」とは、遊技球が流入し易い状態を指し、「閉状態」とは、遊技球が流入不能な状態や遊技球が流入困難な状態を指す。「前記始動入賞口に遊技球が流入したことに基づいて」とは、所定条件下で、始動入賞口に遊技球が流入した場合に第１段階特別遊技に移行する場合のみならず、始動入賞口に遊技球が流入したことを受けて行われた抽選の結果として、第１段階特別遊技に移行する場合を含む。
【発明の効果】
【０００７】
本発明（１）によれば、第１振分装置での振分の結果、特定領域へ振り分けられなかった場合でも、所定条件下、第２振分装置で再び振分が実行される機会が付与されているので、第１振分装置での結果が遊技者に有利なものではなかった場合であっても、当該結果に対しての遊技者の落胆感を最小限に抑えることが可能になると共に、遊技者に対して新たな期待感を抱かせることが可能になるという効果を奏する。
【発明を実施するための最良の形態】
【０００８】
以下、本発明を実施するための最良の形態につき説明する。但し、あくまで最良の形態であり、本発明が適用可能なパチンコ遊技機、各手段が存在する場所や機能等、各種処理に関しての各ステップの順序、フラグのオン・オフのタイミング、各ステップの処理を担う手段名等につき、以下の態様に限定されるものではない。更に、以下で具体的に記載した各種数値（例えば、単位遊技における入賞個数の上限値である９や１０、単位遊技数である１５等）はあくまで例示であり、これらの数値に何ら限定されるものではない。   
【０００９】
はじめに、本発明の最良形態に係るパチンコ遊技機の一例を、図を参照しながら説明する。図１に示すように、該パチンコ遊技機は、外枠に対して前枠が回動可能に固定されている構成を採っている。該前枠には、遊技領域１を有する遊技盤を収容する収容枠が形成されており、この収容枠に遊技盤が保持されている。該遊技盤には、内レール及びハズレルにより区画された遊技領域１が形成されており、この遊技領域１に、通常遊技時には閉状態であり、以下で説明する第１段階特別遊技及び第２段階特別遊技が実行される際には開状態（開閉を繰り返す状態）になる、図示しないソレノイドで駆動される可変入賞口である第２種大入賞口２２００と、第１段階特別遊技移行に係る、遊技球が流入可能な第２種始動口２１００と、いずれの入賞口にも入賞しなかった打球を遊技領域外に排出するためのアウト口２０とが設けられている。また、前枠右下には、遊技領域へ遊技球を発射する際の発射強度を連続的又は段階的に変化させ得るハンドルを備えた遊技球発射装置１０が設置されている。
【００１０】
次に、図２を参照しながら、第２種大入賞口２２００の構造について詳述する。第２種大入賞口２２００は、通常遊技中は閉状態にあり内部に遊技球が流入せず（入賞不能）、特別遊技中は開状態と閉状態を繰り返し（開閉動作を繰り返し）内部に遊技球が流入可能に構成されている。この開状態と閉状態は、左右に設けられた２個のハネ部２２００ａが図に示すように位置を変えることにより達成される。図中、ハネ部２２００ａが実線で示されている場合が閉状態を示しており、ハネ部２２００ａが点線で示されている場合が開状態を示している。また、第２種大入賞口２２００の内部には、第一クルーン２２００ｘ（第一振分装置）、第二クルーン２２００ｙ（第二振分装置）、第２段階特別遊技への移行に係る特定領域２２００ｂ（特定領域入賞検出装置２２２０）と、賞球払出のみに係る通常領域２２００ｆ（通常領域入賞検出装置２２３０）とが設けられている。ここで、第一クルーン２２００ｘは、特定領域２２００ｂに誘導される第一特定領域誘導口２２００ｃと、第二クルーン２２００ｙに誘導される第二クルーン誘導口２２００ｍと、通常領域２２００ｆに誘導される通常領域誘導口２２００ｎとを有している。ここで、まず、第一特定領域誘導口２２００ｃに遊技球が流入した場合、図示しない誘導経路を辿り、特定領域２２００ｂまで誘導される。次に、第二クルーン誘導口２２００ｍに遊技球が流入した場合、第二クルーン誘導経路２２００ｇを介して、第一クルーン２２００ｘの下に設置された第二クルーン２２００ｙまで誘導される。そして、重力落下に基づく回転運動（公転運動）を第二クルーン２２００ｙで行った後、当該遊技球は第二クルーン２２００ｙのいずれかの穴に流入する。最後に、通常領域誘導口２２００ｎに遊技球が流入した場合、図示しない誘導経路を辿り、通常領域２２００ｆまで誘導される。
【００１１】
次に、第二クルーン２２００ｙは、特定領域２２００ｂに誘導される第二特定領域誘導口２２００ｐと、通常領域２２００ｆに誘導される通常領域誘導口２２００ｑとを有している。ここで、まず、第二特定領域誘導口２２００ｐに遊技球が流入した場合、図示しない誘導経路を辿り、特定領域２２００ｂまで誘導される。次に、通常領域誘導口２２００ｑに遊技球が流入した場合、図示しない誘導経路を辿り、通常領域２２００ｆまで誘導される。
【００１２】
尚、振分装置の構成や穴の数等に関しては、第一段階の振分で、第２段階特別遊技の確定をもたらす入球口と第２段階特別遊技への再抽選をもたらす入球口を有している限り、本最良形態に示したものに何ら限定されない。また、本最良形態においては、第一振分部と第二振分部での振分の結果、共通する特定領域及び通常領域に誘導されるように構成されているが、振分部毎に異なる特定領域及び通常領域に誘導されるように構成してもよい。また、振分装置の数も２個には限定されない。
【００１３】
次に、図３のブロック図を参照しながら、本最良形態に係るパチンコ遊技機の各種手段について説明する。まず、主制御装置（メイン基板）１０００は、各周辺機器、即ち、第２種遊技に関連した第２種遊技周辺機器２０００や、主制御装置（メイン基板）１０００からの払出指示に基づき所定数の賞球の払出制御を行う賞球払出装置３０００と情報伝達可能に接続している。その他、図示しないが、各種遊技効果ランプ（例えばサイドランプ）やスピーカ等とも電気的に接続している。そこで、主制御装置（メイン基板）１０００を説明すると、主制御装置（メイン基板）１０００は、通常状態と特別遊技状態（遊技者にとって前記通常状態よりも有利な状態）への移行及び実行制御を司る第２種遊技制御手段１１００と、周辺機器側に各種遊技情報（例えば、始動口への入賞情報、特別遊技中のラウンド数や入賞個数情報等）を送信するための情報送信手段１２００と、各種入賞口への遊技球の入賞に基づき所定の賞球の払出を行うように賞球払出装置３０００を制御する賞球払出決定手段１３００とを有している。以下、図４及び図５を参照しながら、各構成部分を説明する。
【００１４】
まず、図４のブロック図を参照しながら、第２種遊技制御手段１１００について詳述する。第２種遊技制御手段１１００は、第２種特別遊技への移行契機となる遊技球入球信号を第２種始動口２１００から受信したか否かを判定する第２種普図用始動口入球判定手段１１１０と、所定条件下、第２種大入賞口２２００を開状態にする第２種特別遊技を実行する第２種特別遊技制御手段１１２０とを有する。
【００１５】
ここで、第２種特別遊技制御手段１１２０は、所定条件下、第２種始動口２１００から遊技球入球信号を受信した場合、第２種大入賞口２２００を所定時間又は所定回数開閉する「第１段階特別遊技」に関する制御を行う第１段階特別遊技制御手段１１２１と、第１段階特別遊技時における第２種大入賞口２２００内の特定領域（特定領域入賞検出装置２２２０）への遊技球の流入を条件として、第２種大入賞口２２００を所定時間又は所定回数開閉する単位遊技を所定回数行う「第２段階特別遊技」に関する制御を行う第２段階特別遊技制御手段１１２２と、特別遊技移行が決定した際に当該特別遊技の最大単位遊技数を決定するための特別遊技内容決定手段１１２３と、各種制御のために遊技状態をリアルタイムに記憶しておくための遊技状態一時記憶手段１１２４とを有している。
【００１６】
ここで、第１段階特別遊技制御手段１１２１は、第１段階特別遊技移行許可が下りているときに、第２種始動口２１００の入球検出装置２１１０からの入球信号を受信したか否かを判定する第１段階特別遊技条件判定手段１１２１ａと、第１段階特別遊技に関する各種処理の時間管理を行うための第１段階時間管理手段１１２１ｂと、第２種大入賞口２２００の電動役物２２４０を駆動して第１段階特別遊技を実行するための第１段階特別遊技実行手段１１２１ｃとを有している。ここで、第１段階時間管理手段１１２１ｂは、第２段階移行条件となる、第２種大入賞口２２００の特定領域への遊技球入球有効時間を計測する特定領域有効タイマ１１２１ｂ１と、第１段階特別遊技中の第２種大入賞口２２００の開閉時間を計測する開閉タイマ１１２１ｂ２とを更に有している。
【００１７】
次に、第２段階特別遊技制御手段１１２２は、第１段階特別遊技の際に第２段階移行特別遊技移行条件を充足したか否かを判定する第２段階特別遊技条件判定手段１１２２ａと、第２段階特別遊技に関する各種処理の時間管理を行うための第２段階時間管理手段１１２２ｂと、第２種大入賞口２２００の電動役物２２４０を駆動して第２段階特別遊技を実行するための第２段階特別遊技実行手段１１２２ｃとを有している。ここで、第２段階特別遊技条件判定手段１１２２ａは、第１特別遊技中の所定時間内に、特定領域２２００ｂを通過したか否かを判定する特定領域通過判定手段１１２２ａ１を更に有している。また、第２段階時間管理手段１１２２ｂは、第２段階特別遊技における単位遊技時間を計測する開閉タイマ１１２２ｂ１を更に有している。
【００１８】
次に、遊技状態一時記憶手段１１２４は、各種フラグ（第１段階特別遊技に関するフラグ、第２段階特別遊技に関するフラグ等）のオンオフ状況を記憶するためのフラグ一時記憶手段１１２４ａと、第２特別遊技中の最大単位遊技数と現在の単位遊技数を記憶するためのラウンド数一時記憶手段１１２４ｂと、現在実行されている単位遊技における第２種大入賞口２２００への遊技球の入賞個数を記憶するための入賞個数一時記憶手段１１２４ｃとを有している。
【００１９】
次に、図５のブロック図を参照しながら、第２種遊技周辺機器２０００について詳述する。まず、第２種遊技周辺機器２０００は、特別遊技移行の契機となる第２種始動口２１００と、通常遊技の際には閉状態にあり、特別遊技の際には所定条件下で開状態となる第２種大入賞口２２００と、特別遊技中の遊技進行状況を示す表示を含め、主として演出に係る表示を行う第２種演出表示装置２３００と、演出等に係る一切の表示制御を司る第２種演出表示制御手段２４００とを有している。
【００２０】
まず、第２種始動口２１００は、遊技球が入球した際に入球信号を発する入球検出装置２１１０を備えている。
【００２１】
次に、第２種大入賞口２２００は、遊技球が入球した際に入球信号を発する入球検出装置２２１０と、第２種大入賞口２２００に入球した遊技球が特定領域に流入した際に流入信号を発する特定領域入賞検出装置２２２０と、第２種大入賞口２２００に入球した遊技球が通常領域に流入した際に流入信号を発する通常領域入賞検出装置２２３０と、遊技球が入賞不能又は入賞困難な通常状態と遊技球が入賞し易い開放状態に第２種大入賞口２２００を可変させるための、ソレノイドで駆動される電動役物２２４０とを備えている。
【００２２】
次に、本最良形態に係る処理の流れを説明する。まず、図６は、主制御装置（メイン基板）１０００が行う一般的な処理の流れを示したメインフローチャートである。図６に示すように、主制御装置（メイン基板）１０００は、第２種特別遊技移行判定処理３０００、第２種特別遊技実行処理４０００、賞球払出処理５０００の各処理をループして行なっている。そして、各処理の条件が成立した際、当該処理を行うこととし、当該条件が不成立の場合には当該処理をスキップしている。各処理の概要を説明する（以下で詳述されている処理を除く）と、賞球払出処理５０００は、賞球払出のある入賞口（第２種始動口２１００、第２種大入賞口２２００等）への入賞を受け、賞球払出決定手段１３００が、当該入賞口に設定された払出数に対応した所定個数の賞球決定を行った後、賞球払出装置３０００が、当該決定に従い払出を実行する処理である。
【００２３】
次に、図７を参照しながら、図６のサブルーチンに係る第２種特別遊技移行判定処理３０００について説明する。まず、ステップ３００２で、第１段階特別遊技条件判定手段１１２１ａは、フラグ一時記憶手段１１２４ａを参照して、特別遊技に関係するフラグ（第２種特別遊技許可フラグ、第１段階フラグ、第２段階フラグ）がオフであるか否か、即ち、現在特別遊技中でないか否かを判定する。ステップ３００２でＹｅｓの場合、ステップ３００４で、第１段階特別遊技条件判定手段１１２１ａは、第２種始動口２１００の入球検出装置２１１０からの入球信号を受信したか否かを判定する。ステップ３００４でＹｅｓの場合、ステップ３００６で、第１段階特別遊技条件判定手段１１２１ａは、フラグ一時記憶手段１１２４ａ中の第２種特別遊技許可フラグをオンにし、次の処理（第２種特別遊技実行処理４０００）に移行する。なお、ステップ３００２及びステップ３００４でＮｏの場合にも、次の処理（第２種特別遊技実行処理４０００）に移行する。
【００２４】
次に、図８を参照しながら、図６のサブルーチンに係る第２種特別遊技実行処理４０００について説明する。まず、ステップ４１００で、第２種特別遊技制御手段１１２０は、特別遊技移行許可が下りているか否かを判定すると共に、当該許可が下りている場合には各種初期設定を行う初期設定処理４１００を実行する。次に、第２種特別遊技制御手段１１２０（主に第１段階特別遊技制御手段１１２１）は、第１段階特別遊技への移行判定と実行処理を行う第１段階実行処理４２００を実行する。そして、第２種特別遊技制御手段１１２０（主に第２段階特別遊技制御手段１１２２）は、第２段階特別遊技への移行判定と実行処理を行う第２段階実行処理４３００を実行し、次の処理（賞球払出処理５０００）に移行する。
【００２５】
次に、図９を参照しながら、図８のサブルーチンに係る初期設定処理４１００について説明する。まず、ステップ４１０２で、第２種特別遊技制御手段１１２０は、フラグ一時記憶手段１１２４ａを参照して、第２種特別遊技移行許可フラグがオンであるか否かを判定する。ステップ４１０２でＹｅｓの場合、ステップ４１０４及びステップ４１０６で、第２種特別遊技制御手段１１２０は、フラグ一時記憶手段１１２４ａ中の第２種特別遊技移行許可フラグをオフにすると共に、フラグ一時記憶手段１１２４ａ中の第２種特別遊技実行フラグをオンにする。次に、特別遊技内容決定手段１１２３は、抽選により当該特別遊技の単位遊技数を決定し、ラウンド数一時記憶手段１１２４ｂに上限単位遊技数（残り単位遊技数）Ｎとして記憶する。そして、ステップ４１１０で、情報送信手段１２００は、第２種演出表示制御手段２４００に対して第２種特別遊技移行信号を送信する。そして、ステップ４１１２で、第２種特別遊技制御手段１１２０は、フラグ一時記憶手段１１２４ａ中の第１段階フラグをオンにし、次の処理（第１段階実行処理４２００）に移行する。なお、ステップ４１０２でＮｏの場合にも、次の処理（第１段階実行処理４２００）に移行する。
【００２６】
次に、図１０を参照しながら、図８のサブルーチンに係る第１段階実行処理４２００について説明する。まず、ステップ４２０２で、第１段階特別遊技制御手段１１２１は、フラグ一時記憶手段１１２４ａを参照して、第１段階開閉継続フラグがオフであるか否かを判定する。ステップ４２０２でＹｅｓの場合、ステップ４２０４で、第１段階特別遊技条件判定手段１１２１ａは、フラグ一時記憶手段１１２４ａを参照して、第１段階フラグがオンであるか否かを判定する。ステップ４２０４でＹｅｓの場合、ステップ４２０６で、第１段階特別遊技制御手段１１２１は、フラグ一時記憶手段１１２４ａ中の第１段階開閉継続フラグをオンにする。そして、ステップ４２０８で、第１段階特別遊技制御手段１１２１は、開閉タイマ１１２１ｂ２及び特定領域有効タイマ１１２１ｂ１に開閉時間及び特定領域有効時間を夫々セットする。次に、ステップ４２１０で、第１段階特別遊技実行手段１１２１ｃは、第２種大入賞口２２００の電動役物２２４０を駆動して、第２種大入賞口２２００の開閉を開始する。そして、ステップ４２１２で、第１段階特別遊技実行手段１１２１ｃは、開閉タイマ１１２１ｂ２を参照して、第１段階特別遊技の開閉終了時間に到達したか否かを判定する。ステップ４２１２でＹｅｓの場合、ステップ４２１４で、第１段階特別遊技実行手段１１２１ｃは、第２種大入賞口２２００の電動役物２２４０の駆動を停止し、第２種大入賞口２２００の開閉を終了する。そして、ステップ４２１６で、第１段階特別遊技制御手段１１２１は、フラグ一時記憶手段１１２４ａ中の第１段階開閉継続フラグをオフにする。次に、ステップ４２２０で、第２種特別遊技制御手段１１２０は、ラウンド数一時記憶手段１１２４ｂ内に記憶されている上限単位遊技数（残り単位遊技数）Ｎを１減算する。そして、ステップ４２２２で、第２種特別遊技制御手段１１２０は、ラウンド数一時記憶手段１１２４ｂを参照することにより、上限単位遊技数（残り単位遊技数）Ｎが０でないか否かを判定する。ステップ４２２２でＹｅｓの場合、ステップ４２２４で、第２段階特別遊技条件判定手段１１２２ａは、第１段階特別遊技における前記有効時間内に特定領域に入球したか否か、即ち、前記有効時間内に第２種大入賞口２２００の特定領域入賞検出装置２２２０から流入信号を受信したか否かを判定する。ステップ４２２４でＹｅｓの場合、ステップ４２２６で、第２種特別遊技制御手段１１２０は、フラグ一時記憶手段１１２４ａ中の第２段階フラグをオンにする。そして、ステップ４２２８で、情報送信手段１２００は、第２種演出表示制御手段２４００に対して第２段階特別遊技に移行するか否かの情報を送信する。次に、ステップ４２３０で、第２種特別遊技制御手段１１２０は、フラグ一時記憶手段１１２４ａ中の第１段階フラグをオフにして、次の処理（第２段階実行処理４３００）に移行する。尚、ステップ４２０２でＮｏの場合には、ステップ４２１２に移行する。また、ステップ４２０４及びステップ４２１２でＮｏの場合には、次の処理（第２段階実行処理４３００）に移行する。また、ステップ４２２２及びステップ４２２４でＮｏの場合には、ステップ４２３２で、第２種特別遊技制御手段１１２０は、フラグ一時記憶手段１１２４ａ中の第２種特別遊技実行フラグをオフにして、ステップ４２２８に移行する。
【００２７】
次に、図１１を参照しながら、図８のサブルーチンに係る第２段階実行処理４３００について説明する。まず、ステップ４３０２及びステップ４３０４で、第２段階特別遊技制御手段１１２２は、フラグ一時記憶手段１１２４ａを参照して、第２段階開閉継続フラグ及び第２段階継続フラグがいずれもオフであるか否かを判定する。ステップ４３０２及びステップ４３０４でＹｅｓの場合、ステップ４３０６で、第２段階特別遊技条件判定手段１１２２ａは、フラグ一時記憶手段１１２４ａを参照して、第２段階フラグがオンであるか否かを判定する。ステップ４３０６でＹｅｓの場合、ステップ４３０８及びステップ４３１０で、第２段階特別遊技制御手段１１２２は、フラグ一時記憶手段１１２４ａ中の第２段階開閉継続フラグ及び第２段階開閉継続フラグをオンにする。そして、ステップ４３１２で、第２段階特別遊技制御手段１１２２は、開閉タイマ１１２２ｂ１に開閉時間をセットする。次に、ステップ４３１４で、第２段階特別遊技実行手段１１２２ｃは、第２種大入賞口２２００の電動役物２２４０を駆動して、第２種大入賞口２２００の開閉を開始する。そして、ステップ４３１６で、第２段階特別遊技実行手段１１２２ｃは、開閉終了条件が成立したか否か、具体的には、開閉タイマ１１２２ｂ１を参照して、第２段階特別遊技の単位遊技終了時間（又は単位遊技終了開閉回数）に到達したか否かを判定すると共に、入賞個数一時記憶手段１１２４ｃを参照して、所定の入賞個数（例えば１０個）に達したか否かを判定する。ステップ４３１６でＹｅｓの場合、ステップ４３１８で、第２段階特別遊技実行手段１１２２ｃは、第２種大入賞口２２００の電動役物２２４０の駆動を停止し、第２種大入賞口２２００の開閉を終了する。そして、ステップ４３２０で、第２段階特別遊技制御手段１１２２は、フラグ一時記憶手段１１２４ａ中の第２段階開閉継続フラグをオフにする。次に、ステップ４３２２で、第２段階特別遊技制御手段１１２２は、開閉タイマ１１２２ｂ１をリセットする。そして、ステップ４３２４で、第２種特別遊技制御手段１１２０は、ラウンド数一時記憶手段１１２４ｂ内に記憶されている上限単位遊技数（残り単位遊技数）Ｎを１減算する。そして、ステップ４３２６で、第２段階特別遊技制御手段１１２２は、ラウンド数一時記憶手段１１２４ｂを参照することにより、上限単位遊技数（残り単位遊技数）Ｎが０であるか否かを判定する。ステップ４３２６でＹｅｓの場合、ステップ４３２８及びステップ４３３０で、第２段階特別遊技制御手段１１２２は、フラグ一時記憶手段１１２４ａ中の第２段階継続フラグ及び第２段階フラグをオフにする。そして、ステップ４３３２で、第２種特別遊技制御手段１１２０は、フラグ一時記憶手段１１２４ａ中の第２種特別遊技実行フラグをオフにする。次に、情報送信手段１２００は、第２種演出表示制御手段２４００に対して第２種特別遊技終了信号を送信し、次の処理（賞球払出処理５０００）に移行する。尚、ステップ４３０２でＮｏの場合には、ステップ４３１６に移行する。また、ステップ４３０４でＮｏの場合には、ステップ４３１０に移行する。また、ステップ４３０６、ステップ４３１６及びステップ４３２６でＮｏの場合には、次の処理（賞球払出処理５０００）に移行する。
【００２８】
次に、図１及び図２を参照しながら、本最良形態における作用について説明する。まず、通常状態で遊技球が第２種始動口２１００に入賞した場合、大入賞口２のハネ部２２００ａが所定回数開閉する（図２の点線）という内容の、第１段階特別遊技が行われる。尚、本最良形態においては、左右の第２種始動口２１００に入賞した場合には１回開閉し、中央の第２種始動口２１００に入賞した場合には２回開閉するものとする。次に、当該開閉の際（第１段階特別遊技の際）に第２種大入賞口２２００内に遊技球が入賞した場合、当該遊技球は、まず第一クルーン２２００ｘに誘導される。そして、当該遊技球は、第一クルーン２２００ｘ上で公転運動を行い、やがて、手前に設けられた第一特定領域誘導口２２００ｃ、左右の二箇所に設けられた第二クルーン誘導口２２００ｍ及び奥の二箇所に設けられた通常領域誘導口２２００ｎのいずれかの穴に入球する。ここで、第一特定領域誘導口２２００ｃに遊技球が入球した場合、当該遊技球は特定領域（特定領域入賞検出装置２２２０）に誘導され、第２段階特別遊技に移行することが確定する。他方、通常領域誘導口２２００ｎに遊技球が入球した場合、当該球は通常領域（通常領域入賞検出装置２２３０）に誘導され、ハズレが確定する。
【００２９】
ここで、第二クルーン誘導口２２００ｍに遊技球が入球した場合、当該遊技球は、第二クルーン２２００ｙ（２２４０）に誘導される。そして、当該遊技球は、第二クルーン２２００ｙ（２２４０）上で公転運動を行い、やがて、手前に設けられた第二特定領域誘導口２２００ｐ及び奥の二箇所に設けられた通常領域誘導口２２００ｑのいずれかの穴に入球する。ここで、第二特定領域誘導口２２００ｐに遊技球が入球した場合、当該遊技球は特定領域（特定領域入賞検出装置２２２０）に誘導され、第２段階特別遊技に移行することが確定する。他方、通常領域誘導口２２００ｑに遊技球が入球した場合、当該球は通常領域（通常領域入賞検出装置２２３０）に誘導され、ハズレが確定する。
【００３０】
本最良形態によれば、第１振分装置での振分の結果、特定領域へ振り分けられなかった場合でも、所定条件下、第２振分装置で再び振分が実行される機会が付与されているので、第１振分装置での結果が遊技者に有利なものではなかった場合であっても、当該結果に対しての遊技者の落胆感を最小限に抑えることが可能になると共に、遊技者に対して新たな期待感を抱かせることが可能になるという効果を奏する。
【図面の簡単な説明】
【００３１】
【図１】図１は、本最良形態に係るパチンコ遊技機の正面図である。
【図２】図２は、本最良形態に係るパチンコ遊技機の第２種大入賞口２２００の拡大図である。
【図３】図３は、本最良形態に係るパチンコ遊技機の機能ブロック図である（全体）。
【図４】図４は、本最良形態に係るパチンコ遊技機の機能ブロック図である（主制御装置側）。
【図５】図５は、本最良形態に係るパチンコ遊技機の機能ブロック図である（周辺機器側）。
【図６】図６は、本最良形態に係るパチンコ遊技機の主制御装置側で行う、主制御装置側でのメインフローチャートである。
【図７】図７は、本最良形態に係るパチンコ遊技機の主制御装置側で行う、第２種特別遊技移行判定処理のフローチャートである。
【図８】図８は、本最良形態に係るパチンコ遊技機の主制御装置側で行う、第２種特別遊技実行処理のメインフローチャートである。
【図９】図９は、本最良形態に係るパチンコ遊技機の主制御装置側で行う、第２種特別遊技実行処理の一処理である初期設定処理のフローチャートである。
【図１０】図１０は、本最良形態に係るパチンコ遊技機の主制御装置側で行う、第２種特別遊技実行処理の一処理である第１段階実行処理のフローチャートである。
【図１１】図１１は、本最良形態に係るパチンコ遊技機の主制御装置側で行う、第２種特別遊技実行処理の一処理である第２段階実行処理のフローチャートである。
【符号の説明】
【００３２】
１１２１  第１段階特別遊技制御手段
１１２２  第２段階特別遊技制御手段
２１００  第２種始動口
２２００  第２種大入賞口
２２００ｃ  第一特定領域誘導口
２２００ｍ  第二クルーン誘導口
２２００ｐ  第二特定領域誘導口
２２００ｑ  通常領域誘導口
２２００ｘ  第一クルーン
２２００ｙ  第二クルーン
２２２０  特定領域入賞検出装置
２２３０  通常領域入賞検出装置
【図１】
2007097640.tif 000003
【図２】
2007097640.tif 000004
【図３】
2007097640.tif 000005
【図４】
2007097640.tif 000006
【図５】
2007097640.tif 000007
【図６】
2007097640.tif 000008
【図７】
2007097640.tif 000009
【図８】
2007097640.tif 000010
【図９】
2007097640.tif 000011
【図１０】
2007097640.tif 000012
【図１１】
2007097640.tif 000013